(57)【特許請求の範囲】
【請求項１】
ウェアラブルデバイスが送信した自身の一意識別子情報を含む無線ブロードキャストメッセージを受信するステップと、
前記一意識別子情報が記憶されたウェアラブルデバイスの一意識別子情報であるかどうかをスマートホーム機器が判断するステップと、
前記無線ブロードキャストメッセージの受信信号強度指示値が所定値に達したか否かを特定するステップと、
前記一意識別子情報が前記記憶されたウェアラブルデバイスの一意識別子情報であり、且つ前記無線ブロードキャストメッセージの受信信号強度指示値が所定値に達する場合、最初作動状態からスマート作動状態に切り替わるように、前記スマートホーム機器が所定の制御指令を実行するステップと、を含み、
前記記憶されたウェアラブルデバイスの一意識別子情報は、モバイル機器にバインディングされたウェアラブルデバイス及び周りの一定距離内で近距離無線通信方式により前記モバイル機器と通信するウェアラブルデバイスのうちの少なくとも１つからモバイル機器により取得されたものであり、ＬＡＮまたはインターネットにより前記モバイル機器から前記スマートホーム機器に送信されたものであることを特徴とするスマートホーム機器の制御方法。
【請求項２】
前記所定の制御指令は、前記無線ブロードキャストメッセージを受信したスマートホーム機器の運転パラメータと作動モードとのうちの少なくとも１つを調整するために用いられることを特徴とする請求項１に記載のスマートホーム機器の制御方法。
【請求項３】
前記モバイル機器と確立されたＷＩＦＩ接続により、前記モバイル機器から送信された前記一意識別子情報を受信するステップと、
前記ウェアラブルデバイスと確立されたブルートゥース接続により、前記無線ブロードキャストメッセージを受信するステップと、をさらに含むことを特徴とする請求項１に記載のスマートホーム機器の制御方法。
【請求項４】
所定の時間内で前記無線ブロードキャストメッセージが受信されていないとき、装置のスマート作動状態から前記最初作動状態に回復するステップをさらに含むことを特徴とする請求項１に記載のスマートホーム機器の制御方法。
【請求項５】
モバイル機器が少なくとも１つのウェアラブルデバイスの一意識別子情報を取得するステップと、
スマートホーム機器が前記一意識別子情報を記憶し、且つ前記ウェアラブルデバイスが送信した自身の一意識別子情報を含む無線ブロードキャストメッセージを受信して該無線ブロードキャストメッセージの受信信号強度指示値が所定値に達したときに所定の制御指令を実行するように、前記モバイル機器がＬＡＮまたはインターネットにより前記一意識別子情報を前記スマートホーム機器に送信するステップと、を含み、
前記ウェアラブルデバイスは、前記モバイル機器にバインディングされたウェアラブルデバイス及び周りの一定距離内で近距離無線通信方式により前記モバイル機器と通信するウェアラブルデバイスのうちの少なくとも１つであり、前記ウェアラブルデバイスは、それぞれ個別且つ１つの一意識別子情報に対応することを特徴とするスマートホーム機器の制御方法。
【請求項６】
前記一意識別子情報は、ＭＡＣアドレスを含むことを特徴とする請求項５に記載のスマートホーム機器の制御方法。
【請求項７】
前記一意識別子情報を前記スマートホーム機器に送信するステップは、
前記少なくとも１つのウェアラブルデバイスを表示するステップと、
検出されたユーザ選択操作に応じて、選定された１つまたは複数のウェアラブルデバイスに対応する一意識別子情報を前記スマートホーム機器に送信するステップと、を含むことを特徴とする請求項５に記載のスマートホーム機器の制御方法。
【請求項８】
前記モバイル機器が前記一意識別子情報を前記スマートホーム機器に送信した後で、ブロードキャスト制御指令を前記ウェアラブルデバイスへ送信するステップをさらに含み、
前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、前記ウェアラブルデバイスが前記無線ブロードキャストメッセージの送信を停止するように制御することを特徴とする請求項５に記載のスマートホーム機器の制御方法。
【請求項９】
ウェアラブルデバイスが送信した自身の一意識別子情報を含む無線ブロードキャストメッセージを受信するようにするための受信手段と、
前記一意識別子情報が記憶されたウェアラブルデバイスの一意識別子情報であるかどうかをスマートホーム機器が判断するようにするための判断手段と、
前記無線ブロードキャストメッセージの受信信号強度指示値が所定値に達したか否かを前記スマートホーム機器が特定するようにするための特定手段と、
前記一意識別子情報が前記記憶されたウェアラブルデバイスの一意識別子情報であり、且つ前記無線ブロードキャストメッセージの受信信号強度指示値が所定値に達する場合、最初作動状態からスマート作動状態に切り替わるように、前記スマートホーム機器が所定の制御指令を実行するようにするための実行手段と、を備え、
前記記憶されたウェアラブルデバイスの一意識別子情報は、モバイル機器にバインディングされたウェアラブルデバイス及び周りの一定距離内で近距離無線通信方式により前記モバイル機器と通信するウェアラブルデバイスのうちの少なくとも１つからモバイル機器により取得されたものであり、ＬＡＮまたはインターネットにより前記モバイル機器から前記スマートホーム機器に送信されたものであることを特徴とするスマートホーム機器の制御装置。
【請求項１０】
前記所定の制御指令は、前記無線ブロードキャストメッセージを受信したスマートホーム機器の運転パラメータと作動モードとのうちの少なくとも１つを調整するために用いられることを特徴とする請求項９に記載のスマートホーム機器の制御装置。
【請求項１１】
前記モバイル機器と確立されたＷＩＦＩ接続により、前記モバイル機器から送信された前記一意識別子情報を受信するためのＷＩＦＩ通信手段と、
前記ウェアラブルデバイスと確立されたブルートゥース接続により、前記無線ブロードキャストメッセージを受信するためのブルートゥース通信手段と、をさらに備えることを特徴とする請求項９に記載のスマートホーム機器の制御装置。
【請求項１２】
所定の時間内で前記無線ブロードキャストメッセージが受信されていないとき、装置のスマート作動状態から前記最初作動状態に回復するための回復手段をさらに備えることを特徴とする請求項９に記載のスマートホーム機器の制御装置。
【請求項１３】
モバイル機器が少なくとも１つのウェアラブルデバイスの一意識別子情報を取得するようにするための情報取得手段と、
スマートホーム機器が前記一意識別子情報を記憶し、且つ前記ウェアラブルデバイスが送信した自身の一意識別子情報を含む無線ブロードキャストメッセージを受信して該無線ブロードキャストメッセージの受信信号強度指示値が所定値に達したときに所定の制御指令を実行するように、前記モバイル機器がＬＡＮまたはインターネットにより前記一意識別子情報を前記スマートホーム機器に送信するようにするための情報送信手段と、前記モバイル機器が前記一意識別子情報を前記スマートホーム機器に送信した後で、ブロードキャスト制御指令を前記ウェアラブルデバイスへ送信するようにするための指令送信手段と、を備え、
前記ウェアラブルデバイスは、前記モバイル機器にバインディングされたウェアラブルデバイス及び周りの一定距離内で近距離無線通信方式により前記モバイル機器と通信するウェアラブルデバイスのうちの少なくとも１つであり、前記ウェアラブルデバイスは、それぞれ個別且つ１つの一意識別子情報に対応し、
前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、前記ウェアラブルデバイスが前記無線ブロードキャストメッセージの送信を停止するように制御することを特徴とするスマートホーム機器の制御装置。
【請求項１４】
前記一意識別子情報は、ＭＡＣアドレスを含むことを特徴とする請求項１３に記載のスマートホーム機器の制御装置。
【請求項１５】
前記情報送信手段は、
前記少なくとも１つのウェアラブルデバイスを表示するための表示サブ手段と、
検出されたユーザ選択操作に応じて、選定された１つまたは複数のウェアラブルデバイスに対応する一意識別子情報を前記スマートホーム機器に送信するための選択サブ手段と、を備えることを特徴とする請求項１３に記載のスマートホーム機器の制御装置。
【請求項１６】
プロセッサと、
プロセッサの実行可能な指令を記憶するためのメモリと、を備え、
前記プロセッサは、
ウェアラブルデバイスが送信した自身の一意識別子情報を含む無線ブロードキャストメッセージを受信し、
前記一意識別子情報が記憶されたウェアラブルデバイスの一意識別子情報であるかどうかを判断し、
前記無線ブロードキャストメッセージの受信信号強度指示値が所定値に達したか否かを特定し、
前記一意識別子情報が前記記憶されたウェアラブルデバイスの一意識別子情報であり、且つ前記無線ブロードキャストメッセージの受信信号強度指示値が所定値に達する場合、最初作動状態からスマート作動状態に切り替わるように所定の制御指令を実行するように構成され、
前記記憶されたウェアラブルデバイスの一意識別子情報は、該モバイル機器にバインディングされたウェアラブルデバイス及び周りの一定距離内で近距離無線通信方式により前記モバイル機器と通信するウェアラブルデバイスのうちの少なくとも１つからモバイル機器により取得されたものであり、ＬＡＮまたはインターネットにより前記モバイル機器から前記スマートホーム機器に送信されたものであることを特徴とするスマートホーム機器。
【請求項１７】
プロセッサと、
プロセッサの実行可能な指令を記憶するためのメモリと、を備え、
前記プロセッサは、
少なくとも１つのウェアラブルデバイスの一意識別子情報を取得し、
スマートホーム機器が前記一意識別子情報を記憶し、且つ前記ウェアラブルデバイスが送信した自身の一意識別子情報を含む無線ブロードキャストメッセージを受信して該無線ブロードキャストメッセージの受信信号強度指示値が所定値に達したときに所定の制御指令を実行するように、ＬＡＮまたはインターネットにより前記一意識別子情報を前記スマートホーム機器に送信するように構成され、前記モバイル機器が、前記一意識別子情報を前記スマートホーム機器に送信した後で、ブロードキャスト制御指令を前記ウェアラブルデバイスへ送信するように構成され、
前記ウェアラブルデバイスは、前記モバイル機器にバインディングされたウェアラブルデバイス及び周りの一定距離内で近距離無線通信方式により前記モバイル機器と通信するウェアラブルデバイスのうちの少なくとも１つであり、前記ウェアラブルデバイスは、それぞれ個別且つ１つの一意識別子情報に対応し、
前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、前記ウェアラブルデバイスが前記無線ブロードキャストメッセージの送信を停止するように制御することを特徴とするモバイル機器。
【発明の詳細な説明】
【技術分野】
【０００１】
本開示は、スマートホーム技術分野に関し、特に、スマートホーム機器の制御方法、装置、システムおよび機器に関する。
【背景技術】
【０００２】
関連技術では、各種類のスマートホーム機器、例えば、スマートエアコン、スマート浄水器、スマート冷蔵庫等を提供している。関連技術では、操作制御の便宜上、これらのスマートホーム機器をネットワークに接続することで、ユーザがスマートフォンや、ＰＣクライアント等を介して、これらのスマートホーム機器に対して遠隔制御を行うことができる。
【０００３】
しかし、その都度、相変わらずユーザがスマートフォン等を使用してスマートホーム機器に対する制御指令を入力する必要がある。
【発明の概要】
【発明が解決しようとする課題】
【０００４】
本開示は、関連技術に存在する不足を解決すべく、スマートホーム機器の制御方法、装置、システムおよび機器を提供する。
【課題を解決するための手段】
【０００５】
本開示の実施例の第１の態様によれば、スマートホーム機器の制御方法を提供する。前記制御方法は、
スマートホーム機器が識別子情報を含む無線ブロードキャストメッセージを受信するステップと、
前記識別子情報が記憶されたウェアラブルデバイスの一意識別子情報であるかどうかを前記スマートホーム機器が判断するステップと、
前記識別子情報が前記一意識別子情報である場合、最初作動状態からスマート作動状態に切り替わるように、前記スマートホーム機器が所定の制御指令を実行するステップと、を含み、
前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０００６】
好ましくは、前記制御方法は、
前記無線ブロードキャストメッセージの受信信号強度指示値を特定するステップをさらに含み、
前記所定の制御指令を実行するステップは、前記受信信号強度指示値が所定値に達し、且つ前記無線ブロードキャストメッセージに前記一意識別子情報が含まれるとき、前記所定の制御指令を実行するステップを含む。
【０００７】
好ましくは、前記所定の制御指令は、前記無線ブロードキャストメッセージを受信したスマートホーム機器の運転パラメータと作動モードとのうちの少なくとも１つを調整するために用いられる。
【０００８】
好ましくは、前記制御方法は、
前記モバイル機器と確立されたＷＩＦＩ接続により、前記モバイル機器から送信された前記一意識別子情報を受信するステップと、
前記ウェアラブルデバイスと確立されたブルートゥース接続により、前記無線ブロードキャストメッセージを受信するステップと、をさらに含む。
【０００９】
好ましくは、前記制御方法は、
所定の時間内で前記無線ブロードキャストメッセージが受信されていないとき、装置のスマート作動状態から前記最初作動状態に回復するステップをさらに含む。
【００１０】
本開示の実施例の第２の態様によれば、スマートホーム機器の制御方法を提供する。
【００１１】
モバイル機器が少なくとも１つのウェアラブルデバイスの一意識別子情報を取得するステップと、
前記スマートホーム機器が前記一意識別子情報を記憶し、且つ前記一意識別子情報を含む無線ブロードキャストメッセージを受信したときに所定の制御指令を実行するように、前記モバイル機器が前記一意識別子情報を前記スマートホーム機器に送信するステップと、を含み、
前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００１２】
好ましくは、前記一意識別子情報は、ＭＡＣアドレスを含む。
【００１３】
好ましくは、前記一意識別子情報を前記スマートホーム機器に送信するステップは、
前記少なくとも１つのウェアラブルデバイスを表示するステップと、
検出されたユーザ選択操作に応じて、選定された１つまたは複数のウェアラブルデバイスに対応する一意識別子情報を前記スマートホーム機器に送信するステップと、を含む。
【００１４】
好ましくは、前記制御方法は、
前記モバイル機器が前記一意識別子情報を前記スマートホーム機器に送信した後で、ブロードキャスト制御指令を前記ウェアラブルデバイスへ送信するステップをさらに含み、
前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、前記ウェアラブルデバイスが前記無線ブロードキャストメッセージの送信を停止するように制御する。
【００１５】
本開示の実施例の第３の態様によれば、スマートホーム機器の制御方法を提供する。前記制御方法は、
ウェアラブルデバイスが自身の一意識別子情報を含む無線ブロードキャストメッセージを周期的に送信するステップを含み、
前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信し、
前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【００１６】
好ましくは、前記一意識別子情報は、ＭＡＣアドレスを含む。
【００１７】
好ましくは、前記制御方法は、
前記モバイル機器から送信されたブロードキャスト制御指令を受信するステップと、
前記ブロードキャスト制御指令に第１の情報が含まれるとき、前記無線ブロードキャストメッセージを周期的に送信し、前記ブロードキャスト制御指令に第２の情報が含まれるとき、前記無線ブロードキャストメッセージの送信を停止するステップと、をさらに含む。
【００１８】
好ましくは、前記制御方法は、
ユーザによる第１の所定の操作が検出されると、前記無線ブロードキャストメッセージを周期的に送信するステップと、
ユーザによる第２の所定の操作が検出されると、前記無線ブロードキャストメッセージの送信を停止するステップと、をさらに含む。
【００１９】
本開示の実施例の第４の態様によれば、スマートホーム機器の制御装置を提供する。前記制御装置は、
スマートホーム機器が識別子情報を含む無線ブロードキャストメッセージを受信するようにするための受信手段と、
前記識別子情報が記憶されたウェアラブルデバイスの一意識別子情報であるかどうかを前記スマートホーム機器が判断するようにするための判断手段と、
前記識別子情報が前記一意識別子情報である場合、最初作動状態からスマート作動状態に切り替わるように、前記スマートホーム機器が所定の制御指令を実行するようにするための実行手段と、を備え、
前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００２０】
好ましくは、前記制御装置は、
前記無線ブロードキャストメッセージの受信信号強度指示値を特定するための特定手段をさらに備え、
前記実行手段は、前記受信信号強度指示値が所定値に達し、且つ前記無線ブロードキャストメッセージに前記一意識別子情報が含まれるとき、前記所定の制御指令を実行するための実行サブ手段を備える。
【００２１】
好ましくは、前記所定の制御指令は、前記無線ブロードキャストメッセージを受信したスマートホーム機器の運転パラメータと作動モードとのうちの少なくとも１つを調整するために用いられる。
【００２２】
好ましくは、前記制御装置は、
前記モバイル機器と確立されたＷＩＦＩ接続により、前記モバイル機器から送信された前記一意識別子情報を受信するためのＷＩＦＩ通信手段と、
前記ウェアラブルデバイスと確立されたブルートゥース接続により、前記無線ブロードキャストメッセージを受信するためのブルートゥース通信手段と、をさらに備える。
【００２３】
好ましくは、前記制御装置は、
所定の時間内で前記無線ブロードキャストメッセージが受信されていないとき、装置のスマート作動状態から前記最初作動状態に回復するための回復手段をさらに備える。
【００２４】
本開示の実施例の第５の態様によれば、スマートホーム機器の制御装置を提供する。前記制御装置は、
モバイル機器が少なくとも１つのウェアラブルデバイスの一意識別子情報を取得するようにするための情報取得手段と、
前記スマートホーム機器が前記一意識別子情報を記憶し、且つ前記一意識別子情報を含む無線ブロードキャストメッセージを受信したときに所定の制御指令を実行するように、前記モバイル機器が前記一意識別子情報を前記スマートホーム機器に送信するようにするための情報送信手段と、を備え、
前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００２５】
好ましくは、前記一意識別子情報は、ＭＡＣアドレスを含む。
【００２６】
好ましくは、前記情報送信手段は、
前記少なくとも１つのウェアラブルデバイスを表示するための表示サブ手段と、
検出されたユーザ選択操作に応じて、選定された１つまたは複数のウェアラブルデバイスに対応する一意識別子情報を前記スマートホーム機器に送信するための選択サブ手段と、を備える。
【００２７】
好ましくは、前記制御装置は、
前記モバイル機器が前記一意識別子情報を前記スマートホーム機器に送信した後で、ブロードキャスト制御指令を前記ウェアラブルデバイスへ送信するようにするための指令送信手段をさらに備え、
前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、用于前記ウェアラブルデバイスが前記無線ブロードキャストメッセージの送信を停止するように制御する。
【００２８】
本開示の実施例の第６の態様によれば、スマートホーム機器の制御装置を提供する。、前記制御装置は、
ウェアラブルデバイスが自身の一意識別子情報を含む無線ブロードキャストメッセージを周期的に送信するようにするための送信手段を備え、
前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する、
前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【００２９】
好ましくは、前記一意識別子情報は、ＭＡＣアドレスを含む。
【００３０】
好ましくは、前記制御装置は、
前記モバイル機器から送信されたブロードキャスト制御指令を受信するための受信手段と、
前記ブロードキャスト制御指令に第１の情報が含まれるとき、前記無線ブロードキャストメッセージを周期的に送信し、前記ブロードキャスト制御指令に第２の情報が含まれるとき、前記無線ブロードキャストメッセージの送信を停止するための第１の制御手段と、をさらに備える。
【００３１】
好ましくは、前記制御装置は、
ユーザによる操作を検出するための検出手段と、
ユーザによる第１の所定の操作が検出されると、前記無線ブロードキャストメッセージを周期的に送信し、ユーザによる第２の所定の操作が検出されると、前記無線ブロードキャストメッセージの送信を停止するための第２の制御手段と、をさらに備える。
【００３２】
本開示の実施例の第７の態様によれば、スマートホーム機器の制御システムを提供する。前記制御システムは、
上記技術案に記載の何れかのスマートホーム機器に用いられるスマートホーム機器の制御装置と、
上記技術案に記載の何れかのモバイル機器に用いられるスマートホーム機器の制御装置と、
上記技術案に記載の何れかのウェアラブルデバイスに用いられるスマートホーム機器の制御装置と、を有する。
【００３３】
本開示の実施例の第８の態様によれば、スマートホーム機器を提供する。前記スマートホーム機器は、
プロセッサと、
プロセッサの実行可能な指令を記憶するためのメモリと、を備え、
前記プロセッサは、
識別子情報を含む無線ブロードキャストメッセージを受信し、
前記識別子情報が記憶されたウェアラブルデバイスの一意識別子情報であるかどうかを判断し、
前記識別子情報が前記一意識別子情報である場合、最初作動状態からスマート作動状態に切り替わるように所定の制御指令を実行するように構成され、
前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００３４】
本開示の実施例の第９の態様によれば、モバイル機器を提供する。前記モバイル機器は、
プロセッサと、
プロセッサの実行可能な指令を記憶するためのメモリと、を備え、
前記プロセッサは、
少なくとも１つのウェアラブルデバイスの一意識別子情報を取得し、
前記スマートホーム機器が前記一意識別子情報を記憶し、且つ前記一意識別子情報を含む無線ブロードキャストメッセージを受信したときに所定の制御指令を実行するように、前記一意識別子情報をスマートホーム機器へ送信するように構成され、
前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００３５】
本開示の実施例の第１０の態様によれば、ウェアラブルデバイスを提供する。前記ウェアラブルデバイスは、
プロセッサと、
プロセッサの実行可能な指令を記憶するためのメモリと、を備え、
前記プロセッサは、
自身の一意識別子情報を含む無線ブロードキャストメッセージを周期的に送信するように構成され、
前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信し、
前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【発明の効果】
【００３６】
本開示の実施例にかかる技術案は、以下の格別な作用効果を含むことができる。
【００３７】
上記実施例から分かるように、本開示では、バインディングされたウェアラブルデバイスの一意識別子情報をスマートホーム機器に送信することで、スマートホーム機器がそれに基づいて当該ウェアラブルデバイスを認識可能であり、所定の制御指令が自動的に実行され、ユーザ操作が簡素化される。その中、当該ウェアラブルデバイスがモバイル機器と予めバインディングされたため、当該ウェアラブルデバイスが信頼できることを意味し、スマートホーム機器がそれに基づいて所定の制御指令を実行する時の安全性を保証する。それとともに、無線ブロードキャストメッセージの伝送距離に限度があるため、スマートホーム機器で受信された無線ブロードキャストメッセージに一意識別子情報が含まれるとき、当該ウェアラブルデバイスを利用しているユーザが近辺にいることを意味する。これにより、所定の制御指令を実行することで、ユーザが到達する前にユーザの潜在的なニーズに応えることができ、ユーザ体験を向上させる。
【００３８】
さらに、無線ブロードキャストメッセージの受信信号強度指示値を取得することで、当該無線ブロードキャストメッセージを送信したウェアラブルデバイスとスマートホーム機器との間の距離状況、即ち、ユーザと当該スマートホーム機器との間の距離状況を特定することができる。スマートホーム機器に対するユーザの応用需要が一定範囲内のみで存在するため、上記距離状況を取得することで、ユーザが距離的に近い場合（つまり、受信信号強度指示値が所定値に達した場合）に限って所定の制御指令を自動的に実行するように可能となるため、誤実行による電力等の資源の無駄遣いが回避される。
【００３９】
さらに、スマートホーム機器が複数の通信方式に対応可能である。例えば、スマートホーム機器は、それぞれ、ＷＩＦＩとブルートゥースを介して、モバイル機器とウェアラブルデバイスと通信接続を行う。複数方式対応により、スマートホーム機器の通信プロセスが豊富になり、異なる種別の機器間の潜在的な干渉が回避され、スマートホーム機器の通信信頼性が向上する。
【００４０】
さらに、スマートホーム機器は、所定の時間内で無線ブロードキャストメッセージが受信されていない場合、ユーザが既に離れたと判定することができるため、最初作動状態に自動的に回復することで、電力等の資源の無駄遣いを回避する。
【００４１】
さらに、モバイル機器が走査されたウェアラブルデバイスを表示することで、ユーザが応用必要なウェアラブルデバイスをより直感的に閲覧し選択可能であるため、ユーザ体験が向上する。
【００４２】
さらに、モバイル機器から送信されたブロードキャスト制御指令により、ユーザが当該モバイル機器を介してウェアラブルデバイスの応用を制御可能であり、さらにスマートホーム機器を制御することができる。それとともに、ウェアラブルデバイスによるユーザ操作の検出により、ユーザは、当該ウェアラブルデバイスに対する操作により、スマートホーム機器の作動状態を直接制御することができる。また、複数の制御方式の協調により、ユーザが様々な場面での実際の需要に応えられ、ユーザの使用体験が向上する。
【００４３】
上述した一般的な記述および後続する詳細な記述は、単に例示的および解釈的なものであり、本発明を制限できるものでないと理解されるべきである。
【図面の簡単な説明】
【００４４】
ここでの図面は、明細書を構成する一部として見なされ、本開示に適した実施例を示し、かつ、明細書の文字記載とともに本開示の仕組みを解釈するために用いられる。
【図１Ａ】関連技術でのスマートホーム機器を制御する模式図である。
【図１Ｂ】関連技術でのスマートホーム機器を制御する模式図である。
【図２】一実施例にかかるモバイル機器側によるスマートホーム機器の制御方法を示すフローチャートである。
【図３Ａ】一実施例にかかるモバイル機器のインターフェース模式図である。
【図３Ｂ】一実施例にかかるモバイル機器のインターフェース模式図である。
【図４】一実施例にかかるウェアラブルデバイス側によるスマートホーム機器の制御方法を示すフローチャートである。
【図５】一実施例にかかるスマートホーム機器側によるスマートホーム機器の制御方法を示すフローチャートである。
【図６】一実施例にかかるスマートホーム機器の制御方法を示すフローチャートである。
【図７】一実施例にかかるスマートホーム機器が無線ブロードキャストメッセージを処理するフローチャートである。
【図８】一実施例にかかるモバイル機器側によるスマートホーム機器の制御装置を示すブロック図である。
【図９】一実施例にかかるモバイル機器側によるスマートホーム機器の制御装置を示すブロック図である。
【図１０】一実施例にかかるウェアラブルデバイス側によるスマートホーム機器の制御装置を示すブロック図である。
【図１１】一実施例にかかるウェアラブルデバイス側によるスマートホーム機器の制御装置を示すブロック図である。
【図１２】一実施例にかかるウェアラブルデバイス側によるスマートホーム機器の制御装置を示すブロック図である。
【図１３】一実施例にかかるスマートホーム機器側によるスマートホーム機器の制御装置を示すブロック図である。
【図１４】一実施例にかかるスマートホーム機器側によるスマートホーム機器の制御装置を示すブロック図である。
【図１５】一実施例にかかるスマートホーム機器側によるスマートホーム機器の制御装置を示すブロック図である。
【図１６】一実施例にかかるスマートホーム機器側によるスマートホーム機器の制御装置を示すブロック図である。
【図１７】一実施例にかかるスマートホーム機器側によるスマートホーム機器の制御装置を示すブロック図である。
【図１８】一実施例にかかるスマートホーム機器の制御のための装置を示す構造模式図である。
【発明を実施するための形態】
【００４５】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の態様と一致する装置および方法の例に過ぎない。
【００４６】
関連技術では、スマートホーム機器を制御する解決策を複数提出した。図１Ａに示すように、関連技術では別個のリモコンを提供し、ユーザは、リモコン上での物理ボタンを選択して押すことで、対応する制御指令を当該リモコンにスマートホーム機器へ送信させることができる。当該制御指令は、一般的に赤外信号により積載や伝送される。
【００４７】
しかし、異なるスマートホーム機器の間で異なる赤外符号化方式が採用されるため、図１Ａに示す解決策では、スマートホーム機器のそれぞれについてリモコンを１つずつ設ける必要がある。しかし、ユーザの家に複数のスマートホーム機器が設けられる場合、複数のリモコンを使用する必要があり、混同しやすいところか、リモコンの紛失や見つけにくい状況が発生しやすい。
【００４８】
そこで、関連技術では、図１Ｂに示す解決策を提出する。当該解決策では、ユーザのモバイル機器と家中のスマートホーム機器とをともにネットワーク、例えば、同一のＬＡＮあるいはインターネットに接続してから、ユーザが当該モバイル機器を介して制御指令を発する。その後、当該制御指令が当該ＬＡＮあるいはインターネットを介してスマートホーム機器に伝送され、当該スマートホーム機器に対する制御は、達成する。ユーザは、モバイル機器上で操作必要なスマートホーム機器を選択して、複数のスマートホーム機器をそれぞれ制御することができる。
【００４９】
しかし、複数のリモコンを使用しなくても、ユーザがモバイル機器によりスマートホーム機器を手動で選択して、対応する制御指令を手動で発する必要もある。特に、ユーザがあるスマートホーム機器に対する制御指令を手動でトリガする時、既に不調を感じるが、当該スマートホーム機器は、普通、一定の時間後、ユーザの需要に応え始める。
【００５０】
そこで、本開示では、スマートホーム機器に対する制御方案を改良することで、関連技術に存在する上記技術問題を解決する。
【００５１】
図２は、一実施例にかかるモバイル機器側によるスマートホーム機器の制御方法を示すフローチャートであり、図２に示すように、当該方法は、移動端末に用いられ、以下のステップを含んでもよい。
【００５２】
ステップ２０２では、モバイル機器がウェアラブルデバイスの一意識別子情報を取得する。
【００５３】
本実施例では、ある場合において、ウェアラブルデバイスは、モバイル機器にバインディングされたウェアラブルデバイスを含んでもよい。その際、モバイル機器がウェアラブルデバイスとバインディング関係を確立することは、モバイル機器とウェアラブルデバイスとの間で対応する安全信頼性を確立することに相当する。それをもとに、当該モバイル機器が当該ウェアラブルデバイスの一意識別子情報を取得するようにする。別の場合において、ウェアラブルデバイスは、周りの一定距離内で近距離無線通信方式により当該モバイル機器と通信するウェアラブルデバイスを含んでもよい。その際、当該ウェアラブルデバイスは、当該モバイル機器とバインディング関係を確立していない。
【００５４】
モバイル機器がスマートフォンとし、ウェアラブルデバイスがスマートブレスレットとする。図３Ａに示すように、ユーザは、スマートフォン上の「ウェアラブルデバイス」表示ページにおいて、当該スマートフォンとのバインディング関係が確立されたあらゆるウェアラブルデバイス、例えば、「シャオミブレスレット１」、「シャオミメガネ１」等を閲覧することができる。これにより、スマートブレスレット、スマートメガネ、スマートネックレス等のような各種別のウェアラブルデバイスについて、本開示は限定しない。同じように、当該モバイル機器は、スマートフォン、タプレットデバイス等であってもよく、本開示は、同様に限定しない。
【００５５】
一意識別子情報とウェアラブルデバイスとが一対一の関係を有する。つまり、各ウェアラブルデバイスの一意識別子情報は、いずれも他のウェアラブルデバイスと異なる。図３Ａに示すように、本開示の一意識別子情報は、ウェアラブルデバイスのＭＡＣアドレスであってもよい。例えば「シャオミブレスレット１」のＭＡＣアドレスが「００-０１-６Ｃ-０６-Ａ６-２９」であり、「シャオミメガネ１」のＭＡＣアドレスが「００-１８-０Ｅ-００-Ｃ１-２８」である。ＭＡＣアドレスと各ウェアラブルデバイスの間は、物理バインディングの方式が採用されるため、対応するウェアラブルデバイスに唯一に対応可能である。無論、ＭＡＣアドレス以外に、各ウェアラブルデバイスに一意に対応できるほかの如何なる識別子情報も、例えば、各ウェアラブルデバイスの名称ＩＤ、機器番号、現在ログインユーザのアカウント名称などは、いずれも、本開示の技術案に適用可能である。本開示は、それについて限定しない。
【００５６】
ユーザが図３Ａの右上の「+」アイコンをクリックした後で、スマートフォンのブルートゥース探索機能を起動させ、周りのブルートゥース機器を探索可能であると仮定する。それとともに、スマートブレスレットのブルートゥース機能がＯＮにされると、当該スマートフォンによって探索されることができる。図３Ｂに示すように、ユーザは、スマートフォンで探索されたスマートブレスレット等のウェアラブルデバイスに関する情報を閲覧することができる。例えば、当該スマートブレスレットが「シャオミブレスレット２」であり、対応するＭＡＣアドレスが「００-１１-８Ｂ-０６-Ｃ９-１Ｅ」であり、当該ＭＡＣアドレスが当該「シャオミブレスレット２」に一意に対応付けられてもよい。
【００５７】
ステップ２０４では、モバイル機器は、スマートホーム機器が前記一意識別子情報を記憶し、且つ当該一意識別子情報を含む無線ブロードキャストメッセージを受信したときに所定の制御指令を実行するように、一意識別子情報を当該スマートホーム機器へ送信する。ただし、当該モバイル機器と当該スマートホーム機器との間は、ＬＡＮまたはインターネットにより通信する。
【００５８】
本実施例では、モバイル機器とスマートホーム機器との間は、常に接続してもよい。または、モバイル機器は、一意識別子情報をスマートホーム機器に送信した場合に限って、当該スマートホーム機器と接続を確立し、実施後、接続を切断してもよい。
【００５９】
当該一意識別子情報の制御手順によると、上記モバイル機器の他に、ウェアラブルデバイスおよびスマートホーム機器にも関わるため、それぞれを以下に説明する。
【００６０】
図４は、一実施例にかかるウェアラブルデバイス側によるスマートホーム機器の制御方法を示すフローチャートであり、図４に示すように、当該方法は、ウェアラブルデバイスに用いられ、以下のステップを含んでもよい。
【００６１】
ステップ４０２では、ウェアラブルデバイスが自身の一意識別子情報を含む無線ブロードキャストメッセージを周期的に送信する。ただし、前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００６２】
ただし、当該スマートホーム機器が前記一意識別子情報を記憶し、且つ当該無線ブロードキャストメッセージを受信したときに所定の制御指令を実行するように、当該一意識別子情報は、前記モバイル機器から前記スマートホーム機器に送信される。
【００６３】
それ相応に、図５は、一実施例にかかるスマートホーム機器側によるスマートホーム機器の制御方法を示すフローチャートである。
【００６４】
ステップ５０２では、スマートホーム機器が識別子情報を含む無線ブロードキャストメッセージを受信する。
【００６５】
ステップ５０４では、前記識別子情報が記憶されたウェアラブルデバイスの一意識別子情報であるかどうかを前記スマートホーム機器が判断する。前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【００６６】
ステップ５０６では、前記識別子情報が前記一意識別子情報である場合、最初作動状態からスマート作動状態に切り替わるように、前記スマートホーム機器が所定の制御指令を実行する。
【００６７】
本実施例では、最初作動状態とは、スマートホーム機器が所定の制御指令を自動的に実行する前の状態を指し、スマート作動状態とは、スマートホーム機器が所定の制御指令を自動的に実行することで入る状態を指す。本開示の技術案によれば、スマートホーム機器は、上記２つの状態間で自動切り替えを実施することができる。
【００６８】
上記実施例から分かるように、本開示では、バインディングされたウェアラブルデバイスの一意識別子情報をスマートホーム機器に送信することで、スマートホーム機器がそれに基づいて当該ウェアラブルデバイスを認識可能であり、所定の制御指令が自動的に実行され、ユーザ操作が簡素化される。その中、当該ウェアラブルデバイスがモバイル機器と予めバインディングされたため、当該ウェアラブルデバイスが信頼できることを意味し、スマートホーム機器がそれに基づいて所定の制御指令を実行する時の安全性を保証する。それとともに、無線ブロードキャストメッセージの伝送距離に限度があるため、スマートホーム機器で受信された無線ブロードキャストメッセージに一意識別子情報が含まれるとき、当該ウェアラブルデバイスを利用しているユーザが近辺にいることを意味する。これにより、所定の制御指令を実行することで、ユーザが到達する前にユーザの潜在的なニーズに応えることができ、ユーザ体験を向上させる。
【００６９】
モバイル機器、ウェアラブルデバイスとスマートホーム機器の三者間のデータやりとりに合わせて、本開示の技術案を詳細に説明する。その中、説明の便宜上、モバイル機器がスマートフォンであり、ウェアラブルデバイスがスマートブレスレットであり、スマートホーム機器がスマートエアコンであることを例にする。図６は、一実施例にかかるスマートホーム機器の制御方法を示すフローチャートであり、図６に示すように、当該方法は、以下のステップを含んでもよい。
【００７０】
ステップ６０２では、スマートフォンとスマートブレスレットとの間でバインディング関係を確立する。
【００７１】
本実施例では、図３Ａ-３Ｂおよび対応する文字記載を参照すればよいため、ここで繰り返し説明しない。
【００７２】
ステップ６０４では、スマートフォンは、バインディング関係が確立されたスマートブレスレットのＭＡＣアドレスを、当該スマートブレスレットの一意識別子情報として取得する。
【００７３】
無論、本実施例では、スマートブレスレットとスマートフォンとの間は、バインディング関係を予め確立せず、スマートフォンにスマートブレスレットを臨時的に探索させることで、同様に当該スマートブレスレットのＭＡＣアドレス等の一意識別子情報を知ることができ、それに基づいてスマートホーム機器を制御することができる。
【００７４】
ステップ６０５では、スマートフォンは、走査されたあらゆるウェアラブルデバイスを表示してもよい。ユーザは、実際の状況に応じてそのうちの１つまたは複数のウェアラブルデバイスを選択してもよい。
【００７５】
本実施例では、スマートフォンの近くに複数のウェアラブルデバイスが存在する可能性があり、全てのウェアラブルデバイスが必ずしも本開示の技術案による処理を実行する必要があるとは限らないため、上記表示により、ユーザが必要なウェアラブルデバイスを直感的に選択可能である。
【００７６】
ステップ６０６では、スマートフォンは、選定されたウェアラブルデバイス（「スマートブレスレット」を例にする）のＭＡＣアドレスをスマートホーム機器へ送信する。
【００７７】
本実施例では、スマートフォンとスマートホーム機器とは、それぞれ同一の無線ＬＡＮ内に接続され、ＷＩＦＩ信号によりＭＡＣアドレスに対する伝送を実施してもよい。無論、スマートフォンとスマートホーム機器との間のデータ伝送が任意形態を採用してもよいが、本開示は、それについて限定しない。
【００７８】
ステップ６０８では、スマートホーム機器が受信されたＭＡＣアドレスを記憶する。
【００７９】
ステップ６１０では、スマートフォンがブロードキャスト制御指令をスマートブレスレットへ送信する。
【００８０】
本実施例では、スマートフォンがユーザ入力情報に基づいて現在の操作目的を特定してもよい。その中、もしユーザがスマートブレスレットによりスマートホーム機器を制御しようとすれば、スマートフォンは、スマートブレスレットがそのＭＡＣアドレスを含む無線ブロードキャストメッセージを周期的に送信できるように、当該ブロードキャスト制御指令に第１の情報を設定してもよい。もしユーザがスマートブレスレットによるスマートホーム機器への制御を終了しようとすれば、スマートフォンは、スマートブレスレットがそのＭＡＣアドレスを含む無線ブロードキャストメッセージの送信を停止するように、当該ブロードキャスト制御指令に第２の情報を設定してもい。
【００８１】
ステップ６１２では、ブロードキャスト制御指令に第１の情報が含まれるとすれば、スマートブレスレットは、無線ブロードキャストメッセージを周期的に送信し、当該無線ブロードキャストメッセージに当該スマートブレスレットのＭＡＣアドレスが含まれる。
【００８２】
本実施例では、スマートフォンにより、スマートブレスレットによる無線ブロードキャストメッセージの送信手順を制御するほかに、他の制御方式も多数存在する。本開示は、それについて限定しない。
【００８３】
ただし、スマートブレスレットには複数の所定のパラメータを検出できるセンサが設けられるため、ユーザは、直接当該スマートブレスレットを操作して、無線ブロードキャストメッセージに対する送信を起動または停止する。例えば、スマートブレスレットが自身に対するユーザの「敲く」操作を検出できるとすれば、当該スマートブレスレットは、第１の所定の回数/周波数/力の強さ等に合致する「敲く」操作がユーザに実施されたことを検出すると、当該無線ブロードキャストメッセージを周期的に送信操作を実行し、且つ、第２の所定の回数/周波数/力の強さ等に合致する「敲く」操作がユーザに実施されたことを検出すると、当該無線ブロードキャストメッセージの送信を停止する。ただし、「第１の所定の回数/周波数/力の強さ」が「第２の所定の回数/周波数/力の強さ」と同じであってもよい。ユーザが当該「敲く」操作を実行したことを検出するたびに、現在の操作方式から別の操作方式に切り替えればよい。
【００８４】
無論、無線ブロードキャストメッセージの送信手順について、複数の制御方式間は、混合使用可能である。例えば、ユーザは、モバイル機器によりブロードキャスト制御指令を送信してスマートブレスレットに当該無線ブロードキャストメッセージを送信させてから、当該スマートブレスレットに対する「敲く」操作により、当該スマートブレスレットに無線ブロードキャストメッセージの送信を停止させる。
【００８５】
説明必要なことは、上記「敲く」操作が１つの例示に過ぎず、ブレスレットに対する操作がブレスレットを装着する１つの所定の動作であってもよい。例えば、将ブレスレットを空を回すや、上下あるいは左右に揺れる等の動作であってもよい。本開示は、それについて限定しない。
【００８６】
ステップ６１４では、スマートホーム機器は、受信された無線ブロードキャストメッセージにおけるＭＡＣアドレスと自身に記憶されたＭＡＣアドレスとを比較する。
【００８７】
本実施例では、スマートブレスレットとスマートホーム機器との間は、任意方式で当該無線ブロードキャストメッセージに対する伝送を実現可能であり、本開示は、それについて限定しない。例えば、スマートブレスレットとスマートホーム機器とがいずれもブルートゥース機能を有するため、ブルートゥース信号にて当該無線ブロードキャストメッセージを積載する。
【００８８】
ステップ６１６では、スマートホーム機器が所定の制御指令を実行する。
【００８９】
本実施例では、ブルートゥース信号か他の無線信号を採用しても、当該無線ブロードキャストメッセージが限られた伝送範囲に対応する。例えば、当該伝送範囲は、当該スマートブレスレットを円心として信号伝送長を半径とする円形領域であってもよい。当該伝送範囲は、壁等の物体に阻まれる可能性もある。とにかく、当該スマートブレスレットの一定距離範囲内にあるときこそ、当該無線ブロードキャストメッセージを受信することができる。
【００９０】
したがって、スマートホーム機器が当該無線ブロードキャストメッセージを受信したことは、両者の距離が近いことを意味する。また、スマートブレスレットがウェアラブルデバイスであるため、実に、ユーザが当該スマートホーム機器の近くにおり、当該スマートホーム機器に対するユーザの潜在的な使用需要がある可能性が高いことを意味する。所定の制御指令を自発的に実行することで、ユーザが当該スマートホーム機器に対する需要を意識していないうちに（当該スマートホーム機器に対する需要を意識したとき、ユーザは、実に生理的または心理的な不調を既に感じたが、スマートホーム機器がユーザの需要を直ちに満たさないため、さらにユーザに不調感をもたらす）、対応するサービスをみずから提供するため、ユーザの使用体験を著しく向上させる。
【００９１】
図７は、一実施例にかかるスマートホーム機器が無線ブロードキャストメッセージを処理するフローチャートであり、図７に示すように、当該方法は、スマートホーム機器に用いられ、以下のステップを含んでもよい。
【００９２】
ステップ７０２では、スマートホーム機器が無線ブロードキャストメッセージを受信する。
【００９３】
ステップ７０４Ａでは、スマートホーム機器が当該無線ブロードキャストメッセージから解析してＭＡＣアドレスを取得する。
【００９４】
ステップ７０４Ｂでは、スマートホーム機器が当該無線ブロードキャストメッセージのＲＳＳＩ（Ｒｅｃｅｉｖｅｄ Ｓｉｇｎａｌ Ｓｔｒｅｎｇｔｈ Ｉｎｄｉｃａｔｉｏｎ、受信信号強度指示）値を特定する。当該ＲＳＳＩ値がｒとする。
【００９５】
ステップ７０６Ａでは、スマートホーム機器は、解析されたＭＡＣアドレスを記憶されたＭＡＣアドレスと対照して、当該ＭＡＣアドレスが記憶されたかどうかを特定する。記憶されていない場合、ステップ７１０に遷移する。
【００９６】
本実施例では、スマートホーム機器に記憶されたＭＡＣアドレスについて、モバイル機器がバインディング関係であるウェアラブルデバイス上から予め取得し、当該モバイル機器が当該ＭＡＣアドレスを送信してスマートホーム機器に記憶する。モバイル機器とウェアラブルデバイスとの間にバインディング関係があるため、当該ウェアラブルデバイスが信頼できることを意味し、スマートホーム機器の引き受けるべきリスクが回避される。
【００９７】
ステップ７０６Ｂでは、スマートホーム機器は、特定された信号強度ｒを所定の信号強度ｒ０と比較し、ｒ＜ｒ０であれば、ステップ７１０に遷移する。
【００９８】
ステップ７０８では、解析されたＭＡＣアドレスが記憶されたＭＡＣアドレスであると特定し、且つｒ≧ｒ０の場合に、スマートホーム機器は、最初作動状態からスマート作動状態に切り替わるように、所定の制御指令を実行する。
【００９９】
ステップ７１０では、受信された無線ブロードキャストメッセージを無視する。
【０１００】
本実施例では、無線ブロードキャストメッセージは広い伝送範囲があるため、ＲＳＳＩ値を取得することで、当該ウェアラブルデバイスとスマートホーム機器との間の実際の距離をより正確に特定することができる。ただし、ＲＳＳＩ値と実際の距離とが負の相関を成す。つまり、ＲＳＳＩ値が大きければ、距離が近くなり、ＲＳＳＩ値が小さければ、距離が遠くなる。
【０１０１】
本実施例では、所定の制御指令は、当該スマートホーム機器の運転パラメータと、作動モードとのうちの少なくとも１つを調整するために用いられる。例えば、当該スマートホーム機器がエアコンとすれば、運転パラメータ、作動モード等に対する調整手順は、下記の通りである。
【０１０２】
１、運転パラメータ
エアコンの運転パラメータは、運転周波数と、導風角度とのうちの少なくとも１つを含んでもよい。無論、それが例示に過ぎず、エアコンは、他の運転パラメータを含んでもよい。本開示は、それについて限定しない。
【０１０３】
運転周波数について：エアコンが最初は低い運転周波数で稼動するとすれば、当該エアコンは、ユーザの距離が低い（即ち、ステップ７０６Ａとステップ７０６Ｂでの判断結果がともにＹＥＳ）と検出したとき、エアコンがより良好な冷房あるいは暖房の効果を達成してユーザの使用体験を向上させるように、当該運転周波数を上昇させる。ただし、ユーザ距離と運転周波数との間は、負の相関を成してもよい。つまり、距離が近いほど運転周波数が高くなり、距離が遠いほど運転周波数が低くなる。
【０１０４】
導風角度について：エアコンが最初に採用した導風角度が部屋に対する空気の流通に適用するとすれば、ユーザの距離が近いと当該エアコンが検出すると、導風角度に対する調節により、エアコンの排気をユーザの所在する領域へ向けて、ユーザの使用体験を向上させる。エアコンは、検出されたＲＳＳＩ値に基づいてユーザの距離を推測し、自身の取り付け高さ等の情報に合わせて、必要な導風角度を算出してもよい。
【０１０５】
無論、他の実施例では、エアコンがＭＡＣアドレスのみに基づいてユーザが近くにいることを判断し、ＲＳＳＩ値を取得していないとすれば、エアコンの導風角度を予め設定してもよい。例えば、エアコンが応接間にあるとき、ユーザは、当該エアコンが当該導風角度でソファの位置へ直接吹くことができるように、当該エアコンについて１つの特定の導風角度を設定する。それ相応に、エアコンは、ユーザが近くにいる（つまり、ステップ７０６Ａの判断結果がＹＥＳ）と検出すると、当該ユーザがソファーに位置するか、向かおうかと判定して、直接上記「特定の導風角度」に調整してもよい。
【０１０６】
２、作動モード
エアコンは、複数の作動モードが存在する。例えば、スリーブモード、除湿モード、通風モード、補強モード等が存在する。例えば、エアコンがもともとスリーブモードであるとすれば、エアコンは、ユーザが近くにいると検出すると、補強モードに切り替えることで、当該エアコンの作動周波数を上昇させ、温度調節の強度を大きくして、ユーザの使用体験を向上させる。
【０１０７】
さらに、スマートホーム機器が所定の時間内で無線ブロードキャストメッセージを受信していないとき、ユーザが当該スマートホーム機器の近くから離れた（例えば、所在する部屋から離れた）ことを意味する。スマートホーム機器は、スマート作動状態から最初作動状態に切り替わり、例えば、作動周波数を降下させることで省電力等を実施してもよい。
【０１０８】
上記実施例を纏めてみると、ある応用場面が以下になる。
【０１０９】
ユーザがそれぞれ応接間と寝室にエアコンを取り付けたとする。ユーザが退勤して家に帰った後で、玄関に上がる時あるいはその前に、応接間中のエアコンは、既に、ユーザの装着したウェアラブルデバイスから送信された無線ブロードキャストメッセージを受信した。それで、応接間中のエアコンは、作動周波数や導風角度等の運転パラメータを自動的に調整し、または、作動モードをスリーブモードから補強モードに切り替える。これにより、ユーザが応接間に入った後で、直接エアコンによる調節後の快適な温度を楽しめる。ユーザが応接間から寝室に入って休憩する必要があるとき、ユーザが寝室に入る前に、寝室内のエアコンは、既に、ユーザの装着したウェアラブルデバイスから送信された無線ブロードキャストメッセージを受信した。それで、寝室内のエアコンが作動周波数および導風角度等の運転パラメータを自動的に調整し、または作動モードをスリーブモードから補強モードに切り替える。これにより、ユーザが応接間に入った後で、直接エアコンによる調節後の快適な温度を楽しめる。その一方、ユーザが応接間から離れた後で、応接間中のエアコンは、ウェアラブルデバイスによって周期的に送信された無線ブロードキャストメッセージを一定の時間帯内で受信していないため、自動的に最初作動状態に回復して省電力を実施する。
【０１１０】
上記スマートホーム機器の制御方法の実施例に対応して、本開示は、さらにスマートホーム機器の制御装置の実施例を提供する。
【０１１１】
図８は、一実施例にかかるモバイル機器側によるスマートホーム機器の制御装置を示すブロック図である。図８を参照すると、当該装置は、情報取得手段８１と、情報送信手段８２とを備える。
【０１１２】
情報取得手段８１は、モバイル機器が少なくとも１つのウェアラブルデバイスの一意識別子情報を取得するように構成される。ただし、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１１３】
情報送信手段８２は、前記スマートホーム機器が前記一意識別子情報を記憶し、且つ前記一意識別子情報を含む無線ブロードキャストメッセージを受信したときに所定の制御指令を実行するように前記モバイル機器が前記一意識別子情報を前記スマートホーム機器に送信するように構成される。
【０１１４】
好ましくは、前記一意識別子情報は、ＭＡＣアドレスを含む。
【０１１５】
図９に示すように、図９は、一実施例にかかる別のモバイル機器側による情報表示装置を示すブロック図であり、当該実施例は、上記図８に示す実施例に加えて、当該装置が指令送信手段８３をさらに備えてもよい。
【０１１６】
ただし、指令送信手段８３は、前記モバイル機器が前記一意識別子情報を前記スマートホーム機器に送信した後でブロードキャスト制御指令を前記ウェアラブルデバイスへ送信するように構成される。
【０１１７】
ただし、前記ブロードキャスト制御指令に第１の情報が含まれるとき、前記ウェアラブルデバイスが前記一意識別子情報を含む無線ブロードキャストメッセージを周期的に送信するように制御し、前記ブロードキャスト制御指令に第２の情報が含まれるとき、前記ウェアラブルデバイスが前記無線ブロードキャストメッセージの送信を停止するように制御する。
【０１１８】
図１０に示すように、図１０は、一実施例にかかる別のモバイル機器側による情報表示装置を示すブロック図であり、当該実施例は、上記図８に示す実施例に加えて、情報送信手段８２が表示サブ手段８２１と選択サブ手段８２２とを備える。
【０１１９】
ただし、表示サブ手段８２１は、前記少なくとも１つのウェアラブルデバイスを表示するように構成される。
【０１２０】
選択サブ手段８２２は、検出されたユーザ選択操作に応じて、選定された１つまたは複数のウェアラブルデバイスに対応する一意識別子情報を前記スマートホーム機器に送信するように構成される。
【０１２１】
図１１は、一実施例にかかるウェアラブルデバイス側によるスマートホーム機器の制御装置を示すブロック図である。図１１を参照すると、当該装置は、送信手段１００１を備える。
【０１２２】
送信手段１００１は、ウェアラブルデバイスが自身の一意識別子情報を含む無線ブロードキャストメッセージを周期的に送信するように構成れる。ただし、前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１２３】
ただし、前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【０１２４】
好ましくは、前記一意識別子情報は、ＭＡＣアドレスを含む。
【０１２５】
図１２に示すように、図１２は、一実施例にかかる別のウェアラブルデバイス側による情報表示装置を示すブロック図であり、当該実施例は、上記図１１に示す実施例に加えて、当該装置が受信手段１００２と、第１の制御手段１００３とをさらに備えてもよい。
【０１２６】
ただし、受信手段１００２は、前記モバイル機器から送信されたブロードキャスト制御指令を受信するように構成される。
【０１２７】
第１の制御手段１００３は、前記ブロードキャスト制御指令に第１の情報が含まれるとき、前記無線ブロードキャストメッセージを周期的に送信し、前記ブロードキャスト制御指令に第２の情報が含まれるとき、前記無線ブロードキャストメッセージの送信を停止するように構成される。
【０１２８】
図１３に示すように、図１３は、一実施例にかかる別のウェアラブルデバイス側による情報表示装置を示すブロック図であり、当該実施例は、上記図１１に示す実施例に加えて、当該装置が検出手段１００４と、第２の制御手段１００５とをさらに備えてもよい。
【０１２９】
ただし、検出手段１００４は、ユーザによる操作を検出するように構成される。
【０１３０】
第２の制御手段１００５は、ユーザによる第１の所定の操作が検出されると、前記無線ブロードキャストメッセージを周期的に送信し、ユーザによる第２の所定の操作が検出されると、前記無線ブロードキャストメッセージの送信を停止するように構成される。
【０１３１】
説明必要なことは、上記図１３に示す装置実施例の検出手段１００４および第２の制御手段１００５の構造も上記図１２の装置実施例に含まれてもよい。本開示は、それについて限定しない。
【０１３２】
図１４は、一実施例にかかるスマートホーム機器側によるスマートホーム機器の制御装置を示すブロック図である。図１４を参照すると、当該装置は、受信手段１３０１と、判断手段１３０２と、実行手段１３０３と、を備える。
【０１３３】
ただし、受信手段１３０１は、スマートホーム機器が識別子情報を含む無線ブロードキャストメッセージを受信するように構成される。
【０１３４】
判断手段１３０２は、前記識別子情報が記憶されたウェアラブルデバイスの一意識別子情報であるかどうかを前記スマートホーム機器が判断するように構成される。前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１３５】
実行手段１３０３は、最初作動状態からスマート作動状態に切り替わるように、前記識別子情報が前記一意識別子情報であるときに前記スマートホーム機器が所定の制御指令を実行するように構成される。
【０１３６】
好ましくは、前記所定の制御指令は、前記無線ブロードキャストメッセージを受信したスマートホーム機器の運転パラメータと作動モードとのうちの少なくとも１つを調整するために用いられる。
【０１３７】
図１５に示すように、図１５は、一実施例にかかる別のスマートホーム機器側による情報表示装置を示すブロック図であり、当該実施例は、上記図１４に示す実施例に加えて、当該装置が特定手段１３０４をさらに備えてもよく、実行手段１３０３が実行サブ手段１３０３Ａを備えてもよい。
【０１３８】
ただし、特定手段１３０４は、前記無線ブロードキャストメッセージの受信信号強度指示値を特定するように構成される。
【０１３９】
実行サブ手段１３０３Ａは、前記受信信号強度指示値が所定値に達し、且つ前記無線ブロードキャストメッセージに前記一意識別子情報が含まれるとき、前記所定の制御指令を実行するように構成される。
【０１４０】
図１６に示すように、図１６は、一実施例にかかる別のスマートホーム機器側による情報表示装置を示すブロック図であり、当該実施例は、上記図１４に示す実施例に加えて、当該装置がＷＩＦＩ通信手段１３０５とブルートゥース通信手段１３０６とをさらに備えてもよい。
【０１４１】
ただし、ＷＩＦＩ通信手段１３０５は、前記モバイル機器と確立されたＷＩＦＩ接続により、前記モバイル機器から送信された前記一意識別子情報を受信するように構成される。
【０１４２】
ブルートゥース通信手段１３０６は、前記ウェアラブルデバイスと確立されたブルートゥース接続により、前記無線ブロードキャストメッセージを受信するように構成される。
【０１４３】
説明必要なことは、上記図１６に示す装置実施例のＷＩＦＩ通信手段１３０５およびブルートゥース通信手段１３０６の構造も上記図１５の装置実施例に含まれてもよい。本開示は、それについて限定しない。
【０１４４】
図１７に示すように、図１７は、一実施例にかかる別のスマートホーム機器側による情報表示装置を示すブロック図であり、当該実施例は、上記図１４に示す実施例に加えて、当該装置が回復手段１３０７をさらに備えてもよい。
【０１４５】
ただし、回復手段１３０７は、所定の時間内で前記無線ブロードキャストメッセージが受信されていないとき、装置のスマート作動状態から前記最初作動状態に回復するように構成される。
【０１４６】
説明必要なことは、上記図１７に示す装置実施例の回復手段１３０７の構造も上記図１５-１６の装置実施例に含まれてもよい。本開示は、それについて限定しない。
【０１４７】
上記実施例の装置における各モジュールが操作を実行する具体的な方式が当該方法に関する実施例で詳しく記述されたため、ここで詳細に説明しない。
【０１４８】
装置実施例が基本的に方法実施例に対応するため、関連箇所は、方法実施例部分の説明を参照すればよい。以上に記載の装置実施例は、単なる模式的である。その中の分離部品として説明されたモジュールは、物理的に離間してもよいし、離間しなくてもよい。モジュールとして表示された部品は、物理手段であってもよいし、物理手段でなくてもよい。即ち、１箇所に位置してもよいし、複数のネットワークモジュールに分散してもよい。実際の必要に応じて、その中の一部または全部のモジュールを選択して本開示の目的を達成してもよい。当業者は、進歩性に値する労動をせずに、理解し実施可能である。
【０１４９】
それ相応に、本開示は、さらにモバイル機器側によるスマートホーム機器の制御装置を提供する。前記制御装置は、プロセッサと、プロセッサの実行可能な指令を記憶するためのメモリとを備える。ただし、前記プロセッサは、少なくとも１つのウェアラブルデバイスの一意識別子情報を取得し、前記スマートホーム機器が前記一意識別子情報を記憶し、且つ前記一意識別子情報を含む無線ブロードキャストメッセージを受信したときに所定の制御指令を実行するように、前記一意識別子情報を前記スマートホーム機器に送信するように構成される。ただし、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１５０】
それ相応に、本開示は、さらにモバイル機器を提供する。前記モバイル機器は、メモリと、１つまたは１つ以上のプログラムとを備える。１つまたは１つ以上のプログラムがメモリに記憶され、且つその配置により、１つまたは１つ以上のプロセッサが以下の操作を含む指令を実行する。つまり、少なくとも１つのウェアラブルデバイスの一意識別子情報を取得することと、前記スマートホーム機器が前記一意識別子情報を記憶し、且つ前記一意識別子情報を含む無線ブロードキャストメッセージを受信したときに所定の制御指令を実行するように、前記一意識別子情報を前記スマートホーム機器に送信することである。ただし、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１５１】
それ相応に、本開示は、さらにウェアラブルデバイス側によるスマートホーム機器の制御装置を提供する。前記制御装置は、プロセッサと、プロセッサの実行可能な指令を記憶するためのメモリとを備える。前記プロセッサは、自身の一意識別子情報を含む無線ブロードキャストメッセージを周期的に送信するように構成される。ただし、前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【０１５２】
それ相応に、本開示は、さらにウェアラブルデバイスを提供する。前記ウェアラブルデバイスは、メモリと、１つまたは１つ以上のプログラムとを含む。ただし、１つまたは１つ以上のプログラムがメモリに記憶され、且つその配置により１つまたは１つ以上のプロセッサが以下の操作を含む指令を実行する。つまり、自身の一意識別子情報を含む無線ブロードキャストメッセージを周期的に送信することである。ただし、前記ウェアラブルデバイスは、モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。前記スマートホーム機器が前記一意識別子情報を記憶し、且つ前記無線ブロードキャストメッセージを受信したときに所定の制御指令を実行するように、前記一意識別子情報は、前記モバイル機器から前記スマートホーム機器へ送信される。
【０１５３】
それ相応に、本開示は、さらにスマートホーム機器側によるスマートホーム機器の制御装置を提供する。前記制御装置は、プロセッサと、プロセッサの実行可能な指令を記憶するためのメモリとを備える。ただし、前記プロセッサは、識別子情報を含む無線ブロードキャストメッセージを受信し、前記識別子情報が記憶されたウェアラブルデバイスの一意識別子情報であるかどうかを判断し、前記識別子情報が前記一意識別子情報である場合、最初作動状態からスマート作動状態に切り替わるように所定の制御指令を実行するように構成される。前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１５４】
それ相応に、本開示は、さらにスマートホーム機器を提供する。前記スマートホーム機器は、メモリと、１つまたは１つ以上のプログラムとを含む。ただし、１つまたは１つ以上のプログラムがメモリに記憶され、且つその配置により、１つまたは１つ以上のプロセッサが以下の操作を行うための指令を実行する。つまり、識別子情報を含む無線ブロードキャストメッセージを受信することと、前記識別子情報が記憶されたウェアラブルデバイスの一意識別子情報であるかどうかを判断することと、前記識別子情報が前記一意識別子情報である場合、最初作動状態からスマート作動状態に切り替わるように所定の制御指令を実行することである。前記一意識別子情報は、モバイル機器から送信されたものであり、前記ウェアラブルデバイスは、前記モバイル機器にバインディングされたウェアラブルデバイスと、周りの一定距離内で近距離無線通信方式により前記モバイル機器と通信するウェアラブルデバイスとを含み、前記ウェアラブルデバイスのそれぞれは、１つの一意識別子情報に対応し、前記モバイル機器とスマートホーム機器との間は、ＬＡＮまたはインターネットにより通信する。
【０１５５】
なお、本開示は、さらに、本開示の上記モバイル機器と、ウェアラブルデバイスと、スマートホーム機器とを有するスマートホーム機器の制御システムを提供する。ただし、当該モバイル機器が対応する指令を実行することで、図８-１０のいずれかに示すモバイル機器側によるスマートホーム機器の制御装置を実現可能である。当該ウェアラブルデバイスが対応する指令を実行することで、図１１-１３のいずれかに示すウェアラブルデバイス側によるスマートホーム機器の制御装置を実現可能である。当該スマートホーム機器が対応する指令を実行することで、図１４-１７のいずれかに示すスマートホーム機器側によるスマートホーム機器の制御装置を実現可能である。
【０１５６】
図１８は、一実施例にかかるスマートホーム機器の制御のための装置１８００を示すブロック図である。その中、前記装置１８００がモバイル機器であるとき、当該モバイル機器は、例えば、携帯電話、コンピュータ、デジタル放送端末、メッセージ送受信機器、ゲームコンソール、タブレットデバイス、医療設備、フィットネス機器、ＰＤＡなどであってもよい。前記装置１８００がウェアラブルデバイスであるとき、当該ウェアラブルデバイスは、例えば、スマートブレスレット、スマートメガネ、スマートネックレス、スマート指輪等であってもよい。前記装置１８００がスマートホーム機器であるとき、当該スマートホーム機器は、例えば、スマートエアコン、スマート浄水器、スマート冷蔵庫等であってもよい。
【０１５７】
図１８を参照すると、装置１８００は、処理ユニット１８０２、メモリ１８０４、電源ユニット１８０６、マルチメディアユニット１８０８、オーディオユニット１８１０、入力/出力（Ｉ／Ｏ）インターフェース１８１２、センサユニット１８１４、および、通信ユニット１８１６のうちの１つまたは複数を含んでもよい。
【０１５８】
処理ユニット１８０２は、通常は、表示、電話発呼、データ通信、カメラ操作および記録操作に関連する操作のような、装置１８００の全般操作を制御する。処理ユニット１８０２は、上記方法の全部または一部のステップを実施させるように、指令を実行するための１つまたは複数のプロセッサ１８２０を含んでもよい。また、処理ユニット１８０２は、処理ユニット１８０２と他のユニットとの間の相互作用を容易にするように、１つ又は複数のモジュールを含んでもよい。例えば、処理ユニット１８０２は、マルチメディアユニット１８０８と処理ユニット１８０２との間の相互作用を容易にするように、マルチメディアモジュールを含んでもよい。
【０１５９】
メモリ１８０４は、各タイプのデータを記憶して装置１８００での操作をサポートするように構成される。これらのデータの例示は、装置１８００で操作するための任意のアプリケーションもしくは方法の指令、連絡人データ、電話帳データ、メッセージ、ピクチャ、ビデオなどを含む。メモリ１８０４は、如何なる種別の揮発性もしくは不揮発性記憶装置またはそれらの組合せで実現されてもよい。例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１６０】
電源ユニット１８０６は、装置１８００のユニットのそれぞれに電力を供給する。電源ユニット１８０６は、電源管理システム、１つまたは複数の電源、並びに、装置１８００用の電力を生成、管理および配分するに関する他のユニットを含んでもよい。
【０１６１】
マルチメディアユニット１８０８は、前記装置１８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、前記タッチあるいはスライド操作と関連する持続時間および圧力をさらに検出することができる。一部の実施例では、マルチメディアユニット１８０８は、１つのフロントカメラおよび/またはバックカメラを含む。装置１８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１６２】
オーディオユニット１８１０は、オーディオ信号を出力および/または入力するように構成される。例えば、オーディオユニット１８１０は、マイク（ＭＩＣ）を備え、装置１８００が操作モード、例えば、発呼モード、記録モードおよび音声識別モードであるとき、マイクは、外部オーディオ信号を受信するように構成される。受信されたオーディオ信号は、さらに、メモリ１８０４に格納される、または、通信ユニット１８１６を介して送信されることができる。一部の実施例では、オーディオユニット１８１０は、オーディオ信号を出力するためのスピーカをさらに含む。
【０１６３】
Ｉ/Ｏインターフェース１８１２は、処理ユニット１８０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１６４】
センサユニット１８１４は、様々な側面での状態推定を装置１８００に供給するための１つまたは複数のセンサを含む。例えば、センサユニット１８１４は、装置１８００のオン/オフ状態、ユニットの相対位置を検出することができ、前記ユニットは、例えば、装置１８００のディスプレイおよびキーパッドである。センサユニット１８１４は、さらに、装置１８００もしくは装置１８００の１つのユニットの位置変更、ユーザと装置１８００との接触の存在もしくは非存在、装置１８００の方位もしくは加速/減速および装置１８００の温度変化をさらに検出することができる。センサユニット１８１４は、如何なる物理的接触もないとき、近辺にある物体の存在を検出するための近接センサを含んでもよい。センサユニット１８１４は、さらに、イメージングアプリケーションに使用される光センサ、例えばＣＭＯＳまたはＣＣＤ画像センサを含んでもよい。一部の実施例では、当該センサユニット１８１４は、さらに、加速度センサ、ジャイロセンサ、磁気センサ、圧力センサまたは温度センサを含んでもよい。
【０１６５】
通信ユニット１８１６は、装置１８００と他の機器間の無線または有線方式の通信ができるように構成される。装置１８００は、通信規格に基づく無線ネットワーク、例えば、ＷｉＦｉ、２Ｇもしくは３Ｇ、またはそれらの組合せにアクセスすることができる。ある実施例では、通信ユニット１８１６は、外部ブロードキャスト管理システムからのブロードキャスト信号またはブロードキャスト関連情報をブロードキャストチャネルを介して受信する。ある実施例では、前記通信ユニット１８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１６６】
実施例では、装置１８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１６７】
実施例では、指令を含む非一時的コンピュータ読み取り可能な記憶媒体、例えば、指令を含むメモリ１８０４をさらに提供し、上記指令が装置１８００のプロセッサ１８２０によって実行されることで上述方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１６８】
当業者は明細書を考慮し、ここに公開された開示を実践した後、本開示の他の実施案を容易に想到する。本願は、本開示の如何なる変形、用途または適合もカバーすることを意図する。これらの変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付する特許請求の範囲によって与えられる。
【０１６９】
本開示が以上で記載され、且つ図面に示された正確な構造に限定されるものでなく、その要旨を逸脱しない範囲で様々な補正や変更も可能であることは理解されるべきである。本開示の範囲は、添付する特許請求の範囲のみによって限定される。
【０１７０】
本発明は、出願番号が２０１５１０４９７２７８.９であり、出願日が２０１５年０８月１３日である中国特許出願を基に提出するものであり、当該中国特許出願の優先権を主張し、当該中国特許出願の全ての内容は、参照のため本願に援用される。
【図１Ａ】
0006508199.tif 000002
【図１Ｂ】
0006508199.tif 000003
【図２】
0006508199.tif 000004
【図３Ａ】
0006508199.tif 000005
【図３Ｂ】
0006508199.tif 000006
【図４】
0006508199.tif 000007
【図５】
0006508199.tif 000008
【図６】
0006508199.tif 000009
【図７】
0006508199.tif 000010
【図８】
0006508199.tif 000011
【図９】
0006508199.tif 000012
【図１０】
0006508199.tif 000013
【図１１】
0006508199.tif 000014
【図１２】
0006508199.tif 000015
【図１３】
0006508199.tif 000016
【図１４】
0006508199.tif 000017
【図１５】
0006508199.tif 000018
【図１６】
0006508199.tif 000019
【図１７】
0006508199.tif 000020
【図１８】
0006508199.tif 000021